(57)【特許請求の範囲】
【請求項１】
一対の脱ぷロールからなる脱ぷ部と、該脱ぷ部で脱ぷされた脱ぷ後の混合物に対する籾殻風選部と、該籾殻風選部での風選後の混合米から玄米を選別する玄米選別装置と、該玄米選別装置により選別された玄米に対する仕上げ米風選部と、前記籾殻風選部及び仕上げ米風選部に連通する吸引排塵ファンとを備えた籾摺選別機において、前記吸引排塵ファンの吐出口側にファンカバーを設け、該ファンカバーには、該ファンカバー上で摺動可能であって、前記吸引排塵ファンの吐出口の断面積の大きさを調節可能な開口調節板を設置したことを特徴とする籾摺選別機における風量調節装置。
【請求項２】
前記籾殻風選部及び仕上げ米風選部から吸引する風量の割合が偏らないよう、前記吸引排塵ファンの吸引口の開口断面を、前記籾殻風選部側と前記仕上げ米風選部側とに仕切ったことを特徴とする請求項１記載の籾摺選別機における風量調節装置。
【請求項３】
前記仕上げ米風選部は、前記玄米選別装置により選別された玄米に対し、玄米排出用揚穀機により揚穀する前に風選する仕上げ米風選部及び前記玄米排出用揚穀機の揚穀後に風選する仕上げ米風選部から形成される請求項１又は請求項２に記載の籾摺選別機における風量調節装置。
【発明の詳細な説明】
【０００１】
【発明が属する技術分野】
本発明は、脱ぷ後の混合物に対する籾殻風選別と、風選後の混合米から選別された玄米に対する仕上げ米風選別との両方の選別を良好に行うための籾摺選別機における風量調節装置に関する。
【０００２】
【従来の技術】
従来、吸引排塵ファンの回転数を変えて風量又は風力を調節するものとして、吸引排塵ファンの回転軸に割プーリによる変速プーリを取り付けて調節するものが知られている。このものは、割プーリ内に適宜座金などのスペーサを嵌挿してプーリの直径を小さくし、吸引排塵ファンの回転を高速にすることで風量又は風力を増加させるのである。しかしながら、この割プーリによる風量又は風力の変更は、調節時にその都度機体の回転各部を停止して行わなければならない。そのために、カバーやベルトを取り外す必要があって、調節作業に非常に手間がかかる上、ベルトのテンション力を変更しなければならないこともある。
【０００３】
上記問題を解決するため、特開昭60-251937号公報に開示された籾摺機は、吸引ファンの上方位置に、ファンと機体とを連通する開口部を風選室上壁に形成し、該開口部に、この開口の大きさを調節可能な開口調節板を設置して、２次空気の取り入れ量の多少により吸引風力を調節する技術である。しかしながら、上記のものは、脱ぷ後の混合物に対する籾殻の風選別を行う風選室のみの風力が調節可能なものであって、風選後の混合米から選別された玄米に対する仕上げ風選別を行うものではなかった。
【０００４】
一方で、脱ぷ後の混合物に対する籾殻風選別と、風選後の混合米から選別された玄米に対する仕上げ風選別との両方の選別を行う籾摺選別機は公知であるが、通常、一つの吸引排塵ファンの吸引風により両方の風選を行うから、吸引排塵ファンの吸引口より遠い位置にある仕上げ風選部においては、風選作用が低下するという欠点があった。そこで、籾殻風選部と仕上げ風選部との両方における風選作用を向上させるために、特公平6-61532号公報では、以下のような手段が講じられている。
【０００５】
すなわち、籾殻風選部の一側部と仕上げ風選部の一側部との間を、密閉型の風路を介して連通し、籾殻風選部の他側部に吸引排塵ファンの吸引口を、仕上げ風選部の他側部に大気空気取入口を各々臨ませ、且つ、前記密閉型の風路の途中に、横断流ファンを、その吸引側が仕上げ風選部に、吐出側が籾殻風選部に各々臨むように配設したものである。
【０００６】
【発明が解決しようとする課題】
しかしながら、上記特公平6-61532号公報の風選別装置では、籾殻風選部と仕上げ風選部との両方における風選作用を、吸引排塵ファンと横断流ファンとの併用によって向上することができるが、横断流ファンと併用しなければならないので、構成が複雑となり製造コストが増加するという問題がある。
【０００７】
本発明は上記問題点にかんがみ、構成及び調節が簡単であって、一つの吸引排塵ファンにより脱ぷ後の混合物に対する籾殻風選別及び風選後の混合米から選別された玄米に対する仕上げ風選別の両方の選別を良好に行うことができる籾摺選別機における風量調節装置を提供することを技術的課題とする。
【０００８】
【発明が解決しようとする手段】
上記課題を解決するため本発明は、一対の脱ぷロールからなる脱ぷ部と、該脱ぷ部で脱ぷされた脱ぷ後の混合物に対する籾殻風選部と、該籾殻風選部での風選後の混合米から玄米を選別する玄米選別装置と、該玄米選別装置により選別された玄米に対する仕上げ米風選部と、前記籾殻風選部及び仕上げ米風選部に連通する吸引排塵ファンとを備えた籾摺選別機において、前記吸引排塵ファンの吐出口側にファンカバーを設け、該ファンカバーには、該ファンカバー上で摺動可能であって、前記吸引排塵ファンの吐出口の断面積の大きさを調節可能な開口調節板を設置する、という技術的手段を講じた。
【０００９】
これにより、開口調節板をファンカバーから摺動させて調節するだけで吸引排塵ファンの風量が調節でき、従来の割プーリによる風量又は風力の変更のようにカバーやベルトを取り外す必要がなく、構成及び調節作業が極めて簡単になった。
【００１０】
また、前記籾殻風選部及び仕上げ米風選部から吸引する風量の割合が偏らないよう、前記吸引排塵ファンの吸引口の開口断面を、前記籾殻風選部側と前記仕上げ米風選部側とに仕切ってあるから、吸引排塵ファンの吸引口より遠い位置にある仕上げ風選部であっても風量が偏ることはなく、一つの吸引排塵ファンにより籾殻風選別及び仕上げ風選別の両方の選別を良好に行うことができる。
【００１１】
そして、前記仕上げ米風選部は、前記玄米選別装置により選別された玄米に対し、玄米排出用揚穀機により揚穀する前に風選する仕上げ米風選部及び前記玄米排出用揚穀機の揚穀後に風選する仕上げ米風選部から形成されるので、玄米に対して少なくとも２回の風選別が行われるから、夾雑物のないきれいな仕上げ米として機外へ排出することが可能となる。
【００１２】
【発明の実施の形態】
以下本発明の実施の形態を図面に基づいて説明する。
【００１３】
図１乃至図３において、符号１は籾摺選別機の全体を示し、該籾摺選別機１は、一対の脱ぷロール２，３からなる脱ぷ部４と、該脱ぷ部４で脱ぷされた脱ぷ後の混合物に対する籾殻風選部５と、該籾殻風選部５での風選後の混合米から玄米を選別する玄米選別装置６と、該玄米選別装置６により選別された玄米に対する仕上げ米風選部７ａ，７ｂと、前記籾殻風選部５及び仕上げ米風選部７ａ，７ｂに連通する吸引排塵ファン８とを備えたものである。
【００１４】
前記脱ぷ部４には張込ホッパ９を設け、該張込ホッパ９下方に、流量調節バルブ５２を介して一対の脱ぷロール２，３を配設する。該脱ぷロール２，３の下方には、振動コンベア１０を設け、該振動コンベア１０は、内側を開放して排出口１１となし、振動可能に支持する。そして、振動コンベア１０の排出口１１に面して籾殻風選部５を設ける。該籾殻風選部５の形状は、機枠１２中央上方の吸引排塵ファン８の吸引開口部１３を頂部とし、機枠１２下方に向けて「く」字状に屈曲した形状であり、該「く」字状の風路１４下部に前記振動コンベア１０の排出口１１を臨ませる。これにより、籾殻風選部５の高さを低く抑えることが可能になり、籾摺選別機１全体を小型化することが可能となる。符号５９は風路１４内を分岐させるための分流板である。
【００１５】
排出口１１の下方は、一部を多孔部５３に形成した傾斜底板１５を配設し、該傾斜底板１５に連設する底部を混合米受樋１６となす。該混合米受樋１６内には、前後方向に混合米用スクリュー１７を横架する。一方、前記風路１４内には、傾斜状の整流板１８を配設し、該整流板１８と前記風路１４との間隙で形成する開口を未熟米落口１９となし、該未熟米落口１９の底部には未熟用スクリュー２０を備えた未熟米受樋２１を設ける。この未熟米受樋２１の一部は未熟米排出口となす。そして、前記混合米用スクリュー１７の他端は混合米揚穀機２２に接続される。混合米揚穀機２２は無端状のバケットエレベータなどから構成され、頂部には混合米タンク２３を備え、シャッタ２４、均分器５４を介して玄米選別装置６に連絡される。
【００１６】
次に、玄米選別装置６について説明する。揺動方向（図１上では左右方向）と排出側方向（図１上では手前側方向）とに傾斜させた揺動選別板２５を複数段に重ね、揺動機構（図示せず）により一体に揺動可能に設ける。そして、前記排出側方向には、揺動方向傾斜上位側に玄米仕切板２６を、揺動方向傾斜下位側に籾仕切板２７をそれぞれ移動可能に設ける一方、供給側には混合米タンク２３を臨ませる。前記籾仕切板２７の下方には、張込ホッパ９に連結した返り籾用揚穀機２８の供給口２８ａに接続する籾受ホッパ２９を設ける。また、前記玄米仕切板２６の下方は混合米受樋３０を設け、混合米受樋３０の傾斜上方側に玄米の排出口３１を開口するとともに、この排出口には排出・循環用の切換バルブ３２を装着する。
【００１７】
前記切換バルブ３２は運転レバー５５に連動して切換わるように形成するとよい。前記排出口３１と玄米用揚穀機３３との間は、玄米ホッパ３４を設け、該玄米ホッパ３４に、空気取入口３５及び吸風口３６により形成される仕上げ米風選部７ａを設ける。そして、前記吸風口３６は、玄米選別装置６の外周に形成される通風路３７により吸風室５８に連絡し、該吸風室５８から吸引排塵ファン８の吸引開口部１３に連通される。また、玄米用揚穀機３３の上部には揚穀された玄米に対する仕上げ米風選部７ｂを設ける。該仕上げ米風選部７ｂでは、網状の空気取入口３８及び吸風口３９、並びにジグザグ状に玄米を下方に案内する棚板４０により形成される。そして、前記吸風口３９は通風路４１を介して前記通風路３７に接続し、上記同様、吸風室５８から吸引排塵ファン８の吸引開口部１３に連通される。
【００１８】
次に、前記籾殻風選部５及び仕上げ米風選部７ａ，７ｂに連通する吸引排塵ファン８の吸引開口部１３の形状について詳述する。吸引排塵ファン８はファン軸４２と、該ファン軸４２に軸着したローター４３と、該ローター４３から放射状に多数設けた羽根４４…と、吸引排塵ファン８の外郭を形成するケーシング４５とからなる。そして、前記吸引開口部１３は、ケーシング４５をファン軸４２から同心円状に開口した部分に形成され（図２及び図３参照）、該吸引開口部１３に前記籾殻風選部５及び仕上げ米風選部７ａ，７ｂがそれぞれ連絡される。そして、前記籾殻風選部５及び仕上げ米風選部７ａ，７ｂから吸引する風量の割合が変化しないよう、吸引開口部１３の断面を、仕切り壁４６ａ，４６ｂにより籾殻風選部側開口１３ａと仕上げ米風選部側開口１３ｂとにそれぞれ仕切るのである。例えば、図４を参照すれば、籾殻風選部側開口１３ａと仕上げ米風選部側開口１３ｂとの面積はほぼ同じになるように仕切られてある。これにより、吸引排塵ファン８の吸引開口部１３より遠い位置にある仕上げ米風選部７であっても風量が偏ることはなく、一つの吸引排塵ファンにより籾殻風選別５及び仕上げ米風選別７ａ，７ｂの両方の選別を良好に行うことができる。符号５７は二次空気取入バルブであるが、通常は閉じた状態で固定し、吸引排塵ファン８には二次空気を取り込まないようにしておく。
【００１９】
一方、前記吸引排塵ファン８は上部にファンカバー４７を設け、該ファンカバー４７は前記吸引排塵ファン８の吐出口４８側に、この吐出口４８の断面積の大きさを調節可能な開口調節板４９を設置する。該開口調節板４９は、ファンカバー４７上で摺動可能なように長孔５０が開口され（図５参照）、該長孔５０に、ユリア化粧ねじ５１を嵌挿して前記ファンカバー４７に螺着する。これにより、作業者が手で前記ユリア化粧ねじ５１を緩め、開口調節板４９を摺動させて、前記吐出口４８の断面積の大きさを容易に調節することができる。また、前記開口調節板４９の両端部に、突出部４９ａ，４９ｂを設けると、開口調節板４９の摺動の際、吐出口４８付近のケーシング４５’との引っかりを防止することができる。
【００２０】
以下、上記実施形態における具体的作動について説明する。張込ホッパ９から原料籾を投入すると、流量調節バルブ５２により流量を調節しながら脱ぷロール２，３間に原料籾が供給される。周速度の異なる脱ぷロール２，３間で８５％程度が脱ぷされた摺米（籾、玄米及び籾殻の混合物）は、振動コンベア１０内に落下して搬送される間に全体に広がって平坦状になり、一定流量で移送される。このとき、籾・玄米が傾斜底板１５に沿って混合米受樋１６内に流下し、多孔部５３から吸入される外気に伴い、籾殻は籾殻風選部５の整流板１８、風路１４を介して仕切り壁４６ａ，４６ｂにより仕切られた吸引排塵ファン８の籾殻風選部側開口１３ａに到達する。そして、同時に風路１４内に吸引された未熟米は、未熟米落下口１９から未熟米受樋２１に落下し、未熟米排出口から排出される。
【００２１】
一方、混合米受樋１６内に流下した籾・玄米からなる混合米は、混合米用スクリュー１６により搬送され、混合米揚穀機２２に供給されて揚穀される。混合米揚穀機２２に揚穀された混合米は混合米タンク２３に貯留され、シャッター２４を適宜に開くことにより、均分器５４内に落下し、複数段に重設した揺動選別板２５に各々均等に供給され、籾殻のない状態で揺動選別作用を受け、籾仕切板２７内方側に落下する籾は籾受けホッパ２９内の供給口２８ａから返り籾用揚穀機２８に供給されて張込ホッパ９に戻され、籾仕切板２７と玄米仕切板２６の間に位置する混合米は、混合米受樋３０に落下し、再び混合米スクリュー１７、混合米揚穀機２２によって混合米タンク２３に供給される。
【００２２】
他方、玄米は切換バルブ３２によって玄米用揚穀機３３の供給側へ導かれるが、供給側の玄米ホッパ３４に落下する際、空気取入口３５から吸風口３６に向かう気流によって、籾殻風選部５で除去しきれなかった籾殻片や埃が除去される。そして、この仕上げ米は玄米用揚穀機３３によって揚穀されるが、玄米用揚穀機３３上部に設けた仕上げ米風選部７ｂにより、空気取入口３８から吸風口３９に向かう気流によって、上記同様、籾殻片や埃が除去される。そして、夾（きょう）雑物のない仕上げ米となって玄米用揚穀機３３から機外へ排出される。
【００２３】
なお、未熟米受樋２１及びその下方の混合米受樋１６の各々の底部を開放可能となすとともに、混合米受樋１６の下方に残留米受箱５６を引出し可能に設けることにより、残留米の掃除が容易に行える。
【００２４】
以上のように、脱ぷ処理、風選処理及び玄米選別処理が行われるのであるが、現場においては、前記吸引排塵ファン８の吐出口４８に接続する籾殻ダクト長さに合わせてファン８の風量を調節しなければ、籾殻風選部５及び仕上げ米風選部７ａ，７ｂの風量過多、風量不足を生じる虞（おそれ）がある。そこで、本発明では、ファン８の回転数を固定し、吐出口４８の断面積の大きさを開口調節板４９により調節すれば、適正な風量で調整することができる。これを以下説明する。
【００２５】
前記吸引排塵ファン８の吸引口１３の開口断面は、前記籾殻風選部５及び仕上げ米風選部７ａ，７ｂから吸引する風量の割合が変化しないよう、前記籾殻風選部側１３ｂと前記仕上げ米風選部側１３ａとに仕切っているので、開口調節板４９を調節するのみで、籾殻風選部５及び仕上げ米風選部７の両風選部の風量を適正に調整することができる。
【００２６】
開口調節板４９の調節は、作業者が手で前記ユリア化粧ねじ５１を緩め、開口調節板４９をファンカバー４７から摺動させて、前記吐出口４８の断面積の大きさを調節するのである。摺動の程度は予め決められており、例えば、表１のように調節するとよい。
【００２７】
【表１】
0004483122.tif 000002
【００２８】
表１は、籾殻ダクトの長さ（ｍ）と玄米排出能力（俵／kg）を決めたときの、開口調節板４９の閉める程度を表したもので、これにより、開口調節板４９の閉鎖する程度が素人であっても簡単に分かり、風量が適正に調整されるのである。つまり、表１に従えば、籾殻ダクトが長いほど、また、玄米排出能力が高いほど吐出口４８の断面積が大きくなり、風量も多くなるのである。そして、熟練の作業者であれば、この表１に頼ることなく、未熟米排出口から排出される未熟米の量を勘案して、開口調節板４９を閉鎖する程度を決定すればよい。このように、ファンカバ−４７に載置され、作業者から目立つ位置に設置した開口調節板４７の調節であるから、従来の割プーリによる風量又は風力の変更のようにカバーやベルトを取り外す必要がなく、調節作業にが極めて簡単になった。
【００２９】
【発明の効果】
以上のように本発明によれば、一対の脱ぷロールからなる脱ぷ部と、該脱ぷ部で脱ぷされた脱ぷ後の混合物に対する籾殻風選部と、該籾殻風選部での風選後の混合米から玄米を選別する玄米選別装置と、該玄米選別装置により選別された玄米に対する仕上げ米風選部と、前記籾殻風選部及び仕上げ米風選部に連通する吸引排塵ファンとを備えた籾摺選別機において、前記吸引排塵ファンの吐出口側にファンカバーを設け、該ファンカバーには、該ファンカバー上で摺動可能であって、前記吸引排塵ファンの吐出口の断面積の大きさを調節可能な開口調節板を設置するので、開口調節板をファンカバーから摺動させて調節するだけで吸引排塵ファンの風量が調節でき、従来の割プーリによる風量又は風力の変更のようにカバーやベルトを取り外す必要がなく、構成及び調節作業が極めて簡単になった。
【００３０】
また、前記籾殻風選部及び仕上げ米風選部から吸引する風量の割合が偏らないよう、前記吸引排塵ファンの吸引口の開口断面を、前記籾殻風選部側と前記仕上げ米風選部側とに仕切ってあるから、吸引排塵ファンの吸引口より遠い位置にある仕上げ風選部であっても風量が偏ることはなく、一つの吸引排塵ファンにより籾殻風選別及び仕上げ風選別の両方の選別を良好に行うことができる。
【００３１】
そして、前記仕上げ米風選部は、前記玄米選別装置により選別された玄米に対し、玄米排出用揚穀機により揚穀する前に風選する仕上げ米風選部及び前記玄米排出用揚穀機の揚穀後に風選する仕上げ米風選部から形成されるので、玄米に対して少なくとも２回の風選別が行われるから、夾雑物のないきれいな仕上げ米として機外へ排出することが可能となる。
【図面の簡単な説明】
【図１】本発明の籾摺選別機の概略正面図である。
【図２】同上の脱ぷ部付近の拡大断面図である。
【図３】同上の玄米選別部付近の拡大断面図である。
【図４】ファン吸引口の開口断面における籾殻風選部側の割合と仕上げ米風選部側の割合とを示す概略図である。
【図５】籾殻風選部を上方から見たときの平面図である。
【符号の説明】
１  籾摺選別機
２  脱ぷロール
３  脱ぷロール
４  脱ぷ部
５  籾殻風選部
６  玄米選別装置
７  仕上げ米風選部
８  吸引排塵ファン
９  張込ホッパ
１０  振動コンベア
１１  排出口
１２  機枠
１３  吸引開口部
１４  風路
１５  傾斜底板
１６  混合米受樋
１７  混合米用スクリュー
１８  整流板
１９  未熟米落口
２０  未熟用スクリュー
２１  未熟米受樋
２２  混合米揚穀機
２３  混合米タンク
２４  シャッタ
２５  揺動選別板
２６  玄米仕切板
２７  籾仕切板
２８  返り籾用揚穀機
２９  籾受ホッパ
３０  混合米受樋
３１  排出口
３２  切換バルブ
３３  玄米揚穀機
３４  玄米ホッパ
３５  空気取入口
３６  吸風口
３７  通風路
３８  空気取入口
３９  吸風口
４０  棚板
４１  通風路
４２  ファン軸
４３  ローター
４４  羽根
４５  ケーシング
４６  仕切り壁
４７  ファンカバー
４８  吐出口
４９  開口調節板
５０  長孔
５１  ユリア化粧ねじ
５２  流量調節バルブ
５３  多孔部
５４  均分器
５５  運転レバー
５６  残留米受箱
５７  二次空気取入バルブ
５８  吸風室
５９  分流板
【図１】
0004483122.tif 000003
【図２】
0004483122.tif 000004
【図３】
0004483122.tif 000005
【図４】
0004483122.tif 000006
【図５】
0004483122.tif 000007